(57)【要約】【課題】交換を容易に可能とする埋込型の郵便受け箱を提供すること。【解決手段】筒状の枠体２と受け箱本体３を備え、枠体は、外構または外壁を貫通して形成された取付口に固定可能とされ、受け箱本体は、枠体の内側に着脱自在に取付可能とされ、郵便受け箱１は、外構または外壁に埋め込まれて取り付けられる。【選択図】図１
2011110118.tif 000002
【特許請求の範囲】
【請求項１】
外構または外壁に埋め込まれて取り付けられる郵便受け箱であって、筒状の枠体と受け箱本体を備え、枠体は、外構または外壁を貫通して形成された取付口に固定可能とされ、受け箱本体は、枠体の内側に着脱自在に取付可能とされていることを特徴とする郵便受け箱。
【請求項２】
受け箱本体は、その内部から枠体に向けて取り付けられる固着具によって、枠体の内側に固定可能とされていることを特徴とする請求項１に記載の郵便受け箱。
【発明の詳細な説明】
【技術分野】
【０００１】
本発明は、塀や門柱などの外構または外壁に埋め込まれて取り付けられる郵便受け箱に関する。
【背景技術】
【０００２】
塀や門柱などの外構または外壁に埋め込まれて取り付けられる郵便受け箱が広く知られている。このような郵便受け箱に関し、本出願人は、これまでに数多くのものを提案し、提供してきている。
【０００３】
たとえば、下記特許文献１に記載した郵便受け箱では、投函される郵便物、宅配物などの配達物を収納する箱体が、その前側に位置し、投入部開口を有する外箱部と、箱体の後側に位置し、外箱部内方へスライド自在に係合する内箱部とから形成されている。外箱部は、取り付けられる塀の厚さと略同一の奥行を持っている。
【０００４】
上記郵便受け箱は、内箱部を塀の後方に突出させるようにスライドさせることができるため、塀の幅寸法よりも大きさの大きい配達物を収納することができ、また、配達物を取り出した後には、内箱部を外箱部の内部に収納することができるため、塀の後方への突出を小さく抑えることができる。
【先行技術文献】
【特許文献】
【０００５】
【特許文献１】特開平１１−８９７０４号公報
【発明の概要】
【発明が解決しようとする課題】
【０００６】
しかしながら、従来の埋込型の郵便受け箱については、特許文献１に記載したものも含め、新しいものに交換するのが容易ではないことが指摘される。
【０００７】
一般に、外構または外壁に埋め込んで取り付けられる郵便受け箱は、モルタルやシーリング剤などを介して外構または外壁に固定される。したがって、交換する際には、モルタルやシーリング剤などを除去して既設の郵便受け箱を取り外した後、新しいものを固定するためにモルタルやシーリング剤などを再充填する必要がある。このように、郵便受け箱の交換作業は非常に手間のかかるものとなっており、壁掛け式の郵便受け箱のように簡単に交換することはできない。
【０００８】
本発明は、以上のとおりの事情に鑑みてなされたものであり、交換を容易に可能とする埋込型の郵便受け箱を提供することを課題としている。
【課題を解決するための手段】
【０００９】
本発明は、上記の課題を解決するために、以下の特徴を有している。
【００１０】
第１の発明は、外構または外壁に埋め込まれて取り付けられる郵便受け箱であって、筒状の枠体と受け箱本体を備え、枠体は、外構または外壁を貫通して形成された取付口に固定可能とされ、受け箱本体は、枠体の内側に着脱自在に取付可能とされていることを特徴としている。
【００１１】
第２の発明は、上記第１の発明の特徴において、受け箱本体は、その内部から枠体に向けて取り付けられる固着具によって、枠体の内側に固定可能とされていることを特徴としている。
【発明の効果】
【００１２】
上記第１の発明によれば、外構または外壁に形成された取付口に固定可能とされた枠体と、この枠体の内側に着脱自在に取付可能とされた受け箱本体を備えているため、郵便受け箱を交換する際には、受け箱本体を枠体から取り外し、新しいものを取り付けて交換することができる。外構または外壁には枠体のみをモルタルやシーリング剤などを用いて取り付けるだけでよく、受け箱本体の取付けにはモルタルやシーリング剤などを用いる必要はない。したがって、受け箱本体を取り外す際に、モルタルやシーリング剤などの除去は行わなくて済み、新しい受け箱本体を取り付けるときも、モルタルやシーリング剤などの再充填を行う必要がない。郵便受け箱は、埋込型のものでありながら、交換が容易に可能とされている。
【００１３】
上記第２の発明によれば、上記第１の発明の効果に加え、受け箱本体は、その内部から枠体に向けて取り付けられる固着具によって、枠体の内側に固定可能とされているため、受け箱本体の枠体への取付けおよび取外しが容易である。専門の工事者によらずとも居住者などが自身で受け箱本体の交換を手軽に行うことができ、交換に要するコストを低減させることができる。
【図面の簡単な説明】
【００１４】
【図１】本発明の郵便受け箱の一実施形態を示した分解斜視図である。
【図２】図１に示した郵便受け箱の施工について示した要部断面図である。
【発明を実施するための形態】
【００１５】
上記のとおり、図１は、本発明の郵便受け箱の一実施形態を示した分解斜視図である。図２は、図１に示した郵便受け箱の施工について示した要部断面図である。
【００１６】
郵便受け箱１は、四角筒状の枠体２と、枠体２の内側の形状とほぼ同一の形状とされた、略直方体状の受け箱本体３とを備えている。枠体２および受け箱本体３はともに、外構または外壁４としてのブロック塀５の厚さとほぼ同等の奥行を有している。ブロック塀５には、ブロック塀５を貫通する、郵便受け箱１を取り付けるための取付口６が形成されている。取付口６は、ブロック塀５を形成するコンクリートブロックを取付口６の対応する部分に配設しないことによって形成したり、既設のブロック塀５を前後にくり抜いて形成したりすることができる。枠体２は、このような取付口６に固定可能とされている。枠体２の外周面と取付口６の内周面との間にモルタルまたはシーリング剤７を充填し、枠体２を取付口６内においてブロック塀５に固定することができる。
【００１７】
受け箱本体３は、その内部に、郵便物、宅配物などの配達物を収納する中空の収納部を有している。受け箱本体３において、ブロック塀５の前面側に配置される前面部８には、その上端部に配達物を受け箱本体３に投函するための横長の投函口９が形成されている。投函口９には、投函口９を開閉するフラップ状の前蓋１０が配設されている。前蓋１０は、その上端が、受け箱本体３の内部において投函口９の上縁部に回動軸などを介して回動自在に取り付けられ、受け箱本体３の内側に向かって回動することによって、投函口９を開けることができるようにしている。このため、配達物は、その一端を前蓋１０の表面に接触させ、前蓋１０を後方に押し込むようにして投函することができる。配達物の投函にともない、前蓋１０は、受け箱本体３の内側に向かって回動し、投函口９が開き、配達物は、受け箱本体３の収納部に収納される。配達物が受け箱本体３の収納部に完全に収納された状態では、前蓋１０は、その自重などによって初期位置に回動して戻り、投函口９を閉鎖することができる。前蓋１０は、雨よけなどとして機能し、投函口９を閉鎖するとき、受け箱本体３の内部への雨水の浸入を抑制することができる。
【００１８】
また、受け箱本体３において、ブロック塀５の後面側に配置される後面部１１には、後面のほぼ全面が開放された取出口１２が形成されている。取出口１２には、取出口１２を開閉する後蓋１３が配設されている。後蓋１３は、受け箱本体３の内部において取出口１２の下端付近に回動軸などを介して回動自在に取り付けられ、受け箱本体３の外側に向かって回動することによって、取出口１２を開けることができるようにしている。受け箱本体３に投函された配達物を家屋側などから取り出す際には、後蓋１３を後方に回動させて取出口１２を開けることができ、受け箱本体３の後面のほぼ全面に形成された取出口１２が大きく開く。このため、大きなサイズの配達物も難なく取出口１２から取り出すことができる。後蓋１３の上端部には、ロック錠１４が配設されており、取出口１２を閉めたときに後蓋１３が風圧などによって開かないようにしている。
【００１９】
このような受け箱本体３は、郵便受け箱１では、枠体２の内側に着脱自在に取付可能とされている。受け箱本体３の上面部１５および底面部１６には、固着具１７としてのネジ１８を挿通可能とした、円形状の小孔１９が、前後に２つずつ、計４つ形成されている。小孔１９は、上面部１５および底面部１６を上下に貫通している。
【００２０】
受け箱本体３を枠体２に取り付ける際には、受け箱本体３を枠体２の内側に挿入する。挿入方向は、ブロック塀５の前後いずれの側からも可能である。受け箱本体３の前面部８がブロック塀５の前面部とほぼ同じ位置に配置された状態において、後蓋１３を後方に回動させ、取出口１２を開ける。そして、ネジ１８を受け箱本体３の内部から枠体２に向かうように小孔１９に挿入し、ネジ止めする。上下に４本ずつ、計８本のネジ１８を取り付けると、受け箱本体３は枠体２の内側に固定され、郵便受け箱１は、外構または外壁４であるブロック塀５に埋め込まれて取り付けられた状態となる。受け箱本体３の後面部１１には、後面のほぼ全面が開放された取出口１２が形成されているので、ネジ１８を用いるネジ止め作業は容易であり、受け箱本体３は、枠体２に容易に固定可能である。
【００２１】
このように、郵便受け箱１では、受け箱本体３が枠体２の内側に取り付けられ、ネジ１８によって固定される。したがって、ネジ１８を取り外すと、枠体２から受け箱本体３をブロック塀５の前後いずれかの側から引き出すことができ、枠体２から取り外すことができる。郵便受け箱１では、受け箱本体３は、枠体２の内側に着脱自在に取付可能となっている。このため、郵便受け箱１を交換する際には、受け箱本体３を取り外し、新しい受け箱本体３を取り付けて交換することができる。ブロック塀５には枠体２のみをモルタルやシーリング剤７などを用いて取り付けるだけでよく、受け箱本体３の取付けにはモルタルやシーリング剤７などを用いる必要はない。したがって、受け箱本体３を取り外す際に、モルタルやシーリング剤７などの除去は行わなくて済み、新しい受け箱本体３を取り付けるときも、モルタルやシーリング剤７などの再充填を行う必要がない。新旧の受け箱本体３は、サイズ、枠体２への固定方式などが共通する限り、交換を容易に行うことができる。郵便受け箱１は、埋込型でありながら、交換が容易に可能とされている。受け箱本体３の新旧を意匠の異なるものとすると、交換後の外観に差が生じ、ブロック塀５の外観に異なった趣を与えることができる。
【００２２】
また、受け箱本体３は、その内部から枠体２に向けて取り付けられるネジ１８によって、枠体２の内側に固定可能とされているため、受け箱本体３の枠体２への取付けおよび取外しが容易でもある。したがって、専門の工事者によらずとも居住者などが自身で受け箱本体３の交換を手軽に行うことができ、交換に要するコストを低減させることができる。
【００２３】
なお、受け箱本体３を枠体２に固定する固着具１７は、ネジ１８に限られることはなく、フックなどの互いに係合可能なものを採用することができる。たとえば、枠体２および受け箱本体３の両方にフックを配設する場合、受け箱本体３を枠体２の内側への挿入が完了する際に、フックが互いに係合し、受け箱本体３を枠体２の内側に固定することができる。受け箱本体３の取付けおよび取外しがより容易となる。この他、固着具１７には、互いに嵌合可能な凹凸を有するものなどを採用することもできる。
【００２４】
また、受け箱本体３の前面部８にインターホンなどの電気機器を取付可能にする場合、電気配線の接続が必要となるが、たとえば、枠体２には、あらかじめ電源ケーブル、ネットケーブルなどの挿通を可能とするケーブル孔を形成しておくことができる。こうすることによって、ケーブル孔を通じて各種のケーブルを受け箱本体３に向けて引き回すことができ、インターホンなどの電気機器との接続が容易に実現可能となる。たとえば、電気機器の配設されていない郵便受け箱１から電気機器の配設された郵便受け箱１への交換などが可能となる。
【００２５】
もちろん、本発明は、以上の実施形態に限定されるものではない。外構または外壁の種類、枠体および受け箱本体のサイズ、形状、構造などの細部については様々な態様が可能である。
【符号の説明】
【００２６】
１  郵便受け箱
２  枠体
３  受け箱本体
４  外構または外壁
６  取付口
１７  固着具
【図１】
2011110118.tif 000003
【図２】
2011110118.tif 000004